(57)【特許請求の範囲】
【請求項１】
加入者が利用する端末装置と、公衆網内の中継系である回線交換網とを結ぶためのアクセスネットワークシステムであって、
前記端末装置から受信したデータをパケット化して送出し、受信したパケット化されたデータをデパケット化して前記端末装置に転送するアクセスネットワーク装置と、
前記アクセスネットワーク装置から送出された、パケット化されたデータをデパケット化して前記回線交換網内の所定の送信先へ転送し、前記回線交換網から受信したデータをパケット化して前記アクセスネットワーク装置に転送する加入者交換機と、を有し、
前記アクセスネットワーク装置と前記加入者交換機間では時分割方式でデータが送受信されることを特徴とするアクセスネットワークシステム。
【請求項２】
前記アクセスネットワーク装置は、
前記端末装置から受信した音声を符号化し、前記加入者交換機から受信した符号化された音声データを復号する音声符号化処理部を有し、
前記加入者交換機は、
前記回線交換網から受信した音声を符号化し、前記アクセスネットワーク装置から受信した符号化された音声データを復号する音声符号化処理部を有する請求項１記載のアクセスネットワークシステム。
【請求項３】
加入者が利用する端末装置との回線を集線するアクセスネットワーク装置と、
前記アクセスネットワーク装置を介して受信した前記端末装置からのデータを公衆網内の中継系である回線交換網内の所定の送信先へ転送すると共に、前記回線交換網から受信したデータを前記アクセスネットワーク装置に転送する加入者交換機と、を備え、前記端末装置と前記回線交換網とを結ぶためのアクセスネットワークシステムの制御方法であって、
前記アクセスネットワーク装置と前記加入者交換機間では時分割方式でデータが送受信され、
前記アクセスネットワーク装置は、
前記端末装置から受信したデータをパケット化して前記加入者交換機へ転送し、前記加入者交換機から受信したパケット化されたデータをデパケット化して前記端末装置に転送し、
前記加入者交換機は、
前記アクセスネットワーク装置から受信したパケット化されたデータをデパケット化して前記回線交換網へ転送し、前記回線交換網から受信したデータをパケット化して前記アクセスネットワーク装置に転送するアクセスネットワークシステムの制御方法。
【請求項４】
前記アクセスネットワーク装置は、
前記端末装置から受信した音声を符号化し、前記加入者交換機から受信した符号化された音声データを復号し、
前記加入者交換機は、
前記回線交換網から受信した音声を符号化し、前記アクセスネットワーク装置から受信した符号化された音声データを復号する請求項３記載のアクセスネットワークシステムの制御方法。
【請求項５】
加入者が利用する端末装置と公衆網内の中継系である回線交換網とを加入者交換機を介して結ぶための、前記端末装置との回線を集線するアクセスネットワーク装置であって、
前記アクセスネットワーク装置と前記加入者交換機間では時分割方式で送受信され、
前記端末装置とのインタフェースである複数の加入者回路と、
前記加入者回路との回線を集線する集線回路と、
受信したデータをその送信先に応じて切り換えるスイッチ部と、
レイヤ２のプロトコルにしたがって加入者交換機との間で制御データを交換するレイヤ２抽出/挿入部と、
前記加入者交換機に送信するデータのパケット化、及び前記加入者交換機から受信したデータのデパケット化を行うパケット終端処理部と、
パケット化したデータの転送前に必要な帯域の予約を前記加入者交換機に対して要求する制御部と、
前記帯域の予約後に前記加入者交換機との回線が有効に帯域利用されているか否かを監視する帯域制御部と、
を有するアクセスネットワーク装置。
【請求項６】
前記端末装置から受信した音声を符号化し、前記加入者交換機から受信した符号化された音声データを復号する音声符号化処理部を有する請求項５記載のアクセスネットワーク装置。
【請求項７】
加入者が利用する端末装置と公衆網内の中継系である回線交換網とをアクセスネットワーク装置を介して結ぶ、前記アクセスネットワーク装置から受信したデータを前記回線交換網へ転送すると共に、前記回線交換網から受信したデータを前記アクセスネットワーク装置に転送する加入者交換機であって、
前記アクセスネットワーク装置と前記加入者交換機間では時分割方式で送受信され、
前記アクセスネットワーク装置から受信したパケットのデパケット化、及び前記アクセスネットワーク装置に送信するデータのパケット化を行うパケット終端処理部と、
レイヤ２のプロトコルにしたがって前記アクセスネットワーク装置との間で制御データを交換するレイヤ２抽出/挿入部と、
前記端末装置または前記回線交換網から受信したデータをその送信先に応じて切り換えるスイッチ部と、
前記回線交換網とのインタフェースであるトランクインタフェース部と、
パケットの転送前に必要な帯域を予約する制御部と、
前記帯域の予約後に有効な帯域利用がなされているか否かを監視する帯域制御部と、を有する加入者交換機。
【請求項８】
前記回線交換網から受信した音声を符号化し、前記アクセスネットワーク装置から受信した符号化された音声データを復号する音声符号化処理部を有する請求項７記載の加入者交換機。
【発明の詳細な説明】
【０００１】
【発明の属する技術分野】
本発明は加入者交換機と加入者電話機などの端末装置とをつなぐためのアクセスネットワークシステム及びその制御方法に関する。
【０００２】
【従来の技術】
不特定多数の加入者に均質な通信サービスを提供するための公衆網は、加入者交換機を境としてアクセス系と中継系とに区分される。アクセス系は加入者電話機や情報処理装置などの加入者が利用する端末装置と加入者交換機とをつなぐ部分であり、中継系は市内エリアの通信サービスを提供する市内網、長距離通信サービスを提供する市外網、外国との通信サービスを提供する国際網を含む階層的に構築されたネットワークである。以下では、上記アクセス系をアクセスネットワークシステムと称し、上記中継系を回線交換網と称す。
【０００３】
図６はアクセスネットワークシステムの一構成例を示すブロック図である。
【０００４】
図６に示すように、アクセスネットワークシステムは、加入者が利用する複数の端末装置１1〜１n（ｎは正数）との回線を集線するアクセスネットワーク装置４と、アクセスネットワーク装置４を介して受信した端末装置からのデータを回線交換網６内の所定の送信先へ転送すると共に、回線交換網６から受信したデータをアクセスネットワーク装置４に転送する加入者交換機５とを有する構成である。なお、端末装置１1〜１nとアクセスネットワーク装置４間は、アナログメタリックケーブルやＣＡＴＶケーブルのような電線、あるいは無線通信手段等によってそれぞれ接続される。
【０００５】
アクセスネットワーク装置４と加入者交換機５間は、レイヤ２のプロトコルにしたがってデータ通信が行われる。アクセスネットワーク装置４と加入者交換機５間が、例えば、ＩＴＵ−Ｔ（International Telecommunication Union-Telecommunication Sector）で規定されたＶ５インタフェースで接続されている場合、レイヤ２としてはＬＡＰＶ５（Link Access protocol V5）が該当する。
【０００６】
通常、Ｖ５インタフェースでは、装置間が２Ｍｂｐｓ／１ラインのＰＣＭ  Ｌｉｎｋで接続され、該２Ｍｂｐｓの帯域を３２分割することで１つの通信チャネルあたり６４ｋｂｐｓの帯域が割り当てられる。なお、３２分割したうちの特定のチャネルは発呼、着呼、障害通知等の制御データの送受で用いられ、その他のチャネルは音声やデータ等のユーザデータの送受で用いられる。
【０００７】
従来のアクセスネットワークシステムでは、端末装置から発呼があった場合、あるいは端末装置に対する着呼があった場合に、該端末装置毎にそれぞれ１つの通信チャネルが割り当てられ、アクセスネットワーク装置４と加入者交換機５間では、それら複数チャネル分のデータがＴＤＭ（Time Division Multiplexing）方式により多重化されて送受信される。
【０００８】
【発明が解決しようとする課題】
上述したように従来のアクセスネットワークシステムでは、各端末装置毎に６４ｋｂｐｓ単位でしか帯域を割り当てることができないため、６４ｋｂｐｓ以外の速度でデータ転送する場合に効率良く帯域を割り当てることができずに帯域を無駄にしてしまう問題があった。
【０００９】
また、従来のアクセスネットワークシステムでは、端末装置からの発呼や端末装置に対する着呼があれば、端末装置毎にある決められたタイムスロットの通信チャネルを割り当て、該端末装置が通話やデータの送受信をしていないときでもその帯域が確保されるため、帯域を無駄に使用してしまう問題もあった。
【００１０】
本発明は上記したような従来の技術が有する問題点を解決するためになされたものであり、無駄な割り当てや無駄な使用を防止して、通信帯域を効率よく利用することが可能なアクセスネットワークシステム及びその制御方法を提供することを目的とする。
【００１１】
【課題を解決するための手段】
上記目的を達成するため本発明のアクセスネットワークシステムは、加入者が利用する端末装置と、公衆網内の中継系である回線交換網とを結ぶためのアクセスネットワークシステムであって、
前記端末装置から受信したデータをパケット化して送出し、受信したパケット化されたデータをデパケット化して前記端末装置に転送するアクセスネットワーク装置と、
前記アクセスネットワーク装置から送出された、パケット化されたデータをデパケット化して前記回線交換網内の所定の送信先へ転送し、前記回線交換網から受信したデータをパケット化して前記アクセスネットワーク装置に転送する加入者交換機と、
を有する構成である。
【００１２】
このとき、前記アクセスネットワーク装置は、
前記端末装置から受信した音声を符号化し、前記加入者交換機から受信した符号化された音声データを復号する音声符号化処理部を有し、
前記加入者交換機は、
前記回線交換網から受信した音声を符号化し、前記アクセスネットワーク装置から受信した符号化された音声データを復号する音声符号化処理部を有していてもよい。
【００１３】
一方、本発明のアクセスネットワークシステムの制御方法は、加入者が利用する端末装置との回線を集線するアクセスネットワーク装置と、
前記アクセスネットワーク装置を介して受信した前記端末装置からのデータを公衆網内の中継系である回線交換網内の所定の送信先へ転送すると共に、前記回線交換網から受信したデータを前記アクセスネットワーク装置に転送する加入者交換機と、
を備え、前記端末装置と前記回線交換網とを結ぶためのアクセスネットワークシステムの制御方法であって、
前記アクセスネットワーク装置は、
前記端末装置から受信したデータをパケット化して前記加入者交換機へ転送し、前記加入者交換機から受信したパケット化されたデータをデパケット化して前記端末装置に転送し、
前記加入者交換機は、
前記アクセスネットワーク装置から受信したパケット化されたデータをデパケット化して前記回線交換網へ転送し、前記回線交換網から受信したデータをパケット化して前記アクセスネットワーク装置に転送する方法である。
【００１４】
このとき、前記アクセスネットワーク装置は、
前記端末装置から受信した音声を符号化し、前記加入者交換機から受信した符号化された音声データを復号し、
前記加入者交換機は、
前記回線交換網から受信した音声を符号化し、前記アクセスネットワーク装置から受信した符号化された音声データを復号してもよい。
【００１５】
（作用）
上記のようなアクセスネットワークシステム及びその制御方法では、アクセスネットワーク装置及び加入者交換機間において、パケット化されたデータを互いに送受することで、データの転送速度を６４ｋｂｐｓ単位だけでなく、柔軟に変更することが可能になる。また、パケットは送受信すべきデータが無いときには送受信されないため、帯域を無駄に使用してしまうことがない。
【００１６】
さらに、アクセスネットワーク装置及び加入者交換機でそれぞれ音声データの符号化／復号化を行うことで、符号化された音声データを圧縮することが可能になる。
【００１７】
【発明の実施の形態】
次に本発明について図面を参照して説明する。
【００１８】
（第１の実施の形態）
図１は本発明のアクセスネットワーク装置の第１の実施の形態の構成を示すブロック図であり、図２は本発明の加入者交換機の第１の実施の形態の構成を示すブロック図である。なお、アクセスネットワークシステムの構成は図６に示した従来の構成と同様であるため、その説明は省略する。
【００１９】
本発明のアクセスネットワークシステムでは、アクセスネットワーク装置と加入者交換機間において、ユーザデータや制御データをパケット化して互いに送受信する方式を提案する。
【００２０】
図１に示すように、本発明のアクセスネットワーク装置は、端末装置とのインタフェースである複数の加入者回路１０1〜１０n（ｎは正数）と、加入者回路との回線を集線する集線回路１２と、端末装置または加入者交換機からのデータをその送信先に応じて６４ｋｂｐｓ単位で切り換えるスイッチ部１３と、レイヤ２のプロトコルにしたがって加入者交換機との間で制御データを交換するためのレイヤ２抽出/挿入部１４と、加入者交換機に送信するデータのパケット化、及び加入者交換機から受信したデータのデパケット化を行うパケット終端処理部１５と、パケットの転送前に必要な帯域を加入者交換機に対して予約すると共に、スイッチ部１３、レイヤ２抽出/挿入部１４、及び帯域制御部１６の動作をそれぞれ制御する制御部１７と、帯域予約後に有効な帯域利用がなされているか否かを監視する帯域制御部１６とを有する構成である。
【００２１】
図２に示すように、本発明の加入者交換機は、アクセスネットワーク装置から受信したパケットのデパケット化、あるいはアクセスネットワーク装置に送信するデータのパケット化を行うパケット終端処理部２０と、レイヤ２のプロトコルにしたがってアクセスネットワーク装置との間で制御データを交換するためのレイヤ２抽出/挿入部２２と、端末装置または回線交換網からのデータをその送信先に応じて６４ｋｂｐｓ単位で切り換えるスイッチ部２３と、回線交換網とのインタフェースであるトランクインタフェース部２４と、パケットの転送前に必要な帯域を予約すると共に、帯域制御部２１、レイヤ２抽出/挿入部２２、及びスイッチ部２３の動作をそれぞれ制御する制御部２５と、帯域予約後に有効な帯域利用がなされているか否かを監視する帯域制御部２１とを有する構成である。
【００２２】
アクセスネットワーク装置が有する加入者回路、集線回路１２、スイッチ部１３、及びレイヤ２抽出/挿入部１４は、例えば、既存の集積回路装置によって構成される。また、パケット終端処理部１５、帯域制御部１６、及び制御部１７は、ＣＰＵ及び該ＣＰＵに所定の処理を実行させるためのプログラムが記録された記録媒体を備えた情報処理装置により構成される。ＣＰＵは記録媒体に記録されたプログラムにしたがって以下に記載するパケット終端処理部１５、帯域制御部１６、及び制御部１７の処理を実行する。
【００２３】
同様に、加入者交換機が有するトランクインタフェース部２４、スイッチ部２３、及びレイヤ２抽出/挿入部２２は、既存の集積回路装置によって構成される。また、パケット終端処理部２０、帯域制御部２１、及び制御部２５は、ＣＰＵ及び該ＣＰＵに所定の処理を実行させるためのプログラムが記録された記録媒体を備えた情報処理装置により構成される。ＣＰＵは記録媒体に記録されたプログラムにしたがって以下に記載するパケット終端処理部２０、帯域制御部２１、及び制御部２５の処理を実行する。
【００２４】
なお、パケットは、ＩＰ（Internet Protocol）パケット、ＡＴＭ（Asynchronous Transfer Mode）セル、あるいはフレームリレー等と同様に、ユーザデータあるいは制御データからなるペイロードに送信元及びあて先（送信先）のアドレスを含むヘッダを付与することで生成される。本実施形態のアクセスネットワークシステムの場合、パケットはアクセスネットワーク装置と加入者交換機間でのみ送受信されるため、ヘッダには送信元アドレスと宛先アドレスとが最低限含まれていればよく、パケットの優先順位を示すような情報等は不要であるため、ヘッダを圧縮することが可能である。
【００２５】
このような構成において、次に本発明のアクセスネットワークシステムの動作について説明する。
【００２６】
パケットにより装置間でデータを送受信する場合、予め要求された転送レートで送受信が可能か否かを判断する必要がある。以下では加入者交換機でこのような帯域予約を行う場合を例にして説明する。
【００２７】
まず、任意の端末装置が発呼すると、アクセスネットワーク装置は、対応する加入者回路で該発呼メッセージを受信し、集線回路１２及びスイッチ部１３を介して制御部１７に転送する。制御部１７は、帯域予約を要求するための帯域予約メッセージを生成し、レイヤ２抽出/挿入部１４に送信する。レイヤ２抽出/挿入部１４は制御部１７から受信した帯域予約メッセージをパケット終端処理部１５に転送し、パケット終端処理部１５によりパケット化して、生成した制御パケットを加入者交換機に送信する。なお、制御パケットの帯域は予め予約されているものとする。
【００２８】
加入者交換機は、アクセスネットワーク装置から送信された制御パケットをパケット終端処理部２０で受信し、まずレイヤ２抽出/挿入部２２により該制御パケットのなかから帯域予約メッセージを抽出し制御部２５に転送する。制御部２５は、発生した呼から要求された帯域の予約が可能か否かを判断し、帯域の予約が可能な場合は、帯域制御部２１に該呼の最低保証レート（ＣＩＲ）やピークレート（ＰＩＲ）等の監視情報を通知する。帯域制御部２１は制御部２５から受信した該監視情報にしたがって、以降、対応する呼の監視を行う。
【００２９】
また、制御部２５は、帯域予約が可能であることを示す応答メッセージを生成し、レイヤ２抽出/挿入部２２に送信する。レイヤ２抽出/挿入部２２は、制御部２５から受信した応答メッセージをパケット終端処理部２０に転送し、パケット終端処理部２０によりパケット化して、生成した制御パケットをアクセスネットワーク装置に送信する。
【００３０】
アクセスネットワーク装置は、加入者交換機で帯域予約が完了し、帯域予約が可能であることを示す応答メッセージ含む制御パケットを受信すると、該制御パケットをパケット終端処理部１５で受信し、レイヤ２抽出/挿入部１４により該制御パケットのなかから該応答メッセージを抽出して制御部１７に通知する。
【００３１】
制御部１７は、帯域制御部１６に該呼の最低保証レート（ＣＩＲ）やピークレート（ＰＩＲ）等の監視情報を通知する。帯域制御部１６は制御部１７から受信した該監視情報にしたがって、以降、対応する呼の監視を行う。
【００３２】
なお、発生した呼の帯域予約が不可能な場合、加入者交換機は予約不可メッセージを含む制御パケットをアクセスネットワーク装置に送信する。この場合、アクセスネットワーク装置は、発呼した端末装置に対し、対応する加入者回路から、例えば「通話中」であることを示すビジートーン信号を返送する。
【００３３】
アクセスネットワーク装置と加入者交換機間のリンクが確立すると、端末装置から送信されたユーザデータは、アクセスネットワーク装置の対応する加入者回路でそれぞれ受信され、集線回路１２で集線されてスイッチ部１３に転送される。スイッチ部１３は転送されたユーザデータをその送信先に応じて６４ｋｂｐｓ単位でスイッチングし、レイヤ２抽出/挿入部１４に送信する。レイヤ２抽出/挿入部１４は、ユーザデータをパケット終端処理部１５に転送し、送信先毎にパケット化して、ユーザパケットを生成し加入者交換機に送信する。このとき、各呼毎の帯域はそれぞれ帯域制御部１６で監視される。
【００３４】
加入者交換機は、パケット終端処理部２０でアクセスネットワーク装置４から送信されたユーザパケットを受信し、デパケット化を行う。このとき、各呼毎の帯域はそれぞれ帯域制御部２１で監視される。
【００３５】
デパケット化されたユーザデータは、レイヤ２抽出/挿入部２２、スイッチ部２３を経由して、トランクインタフェース部２４から所定のプロトコルにしたがって回線交換網に送信される。
【００３６】
一方、任意の端末装置に対する呼が発生すると、加入者交換機は、回線交換網からの制御データをトランクインタフェース部２４で受信し、スイッチ部２３を介して制御部２５に転送する。制御部２５は、発生した呼の帯域の予約が可能か否かを判断し、帯域の予約が可能な場合は、帯域制御部２１に該呼の最低保証レート（ＣＩＲ）やピークレート（ＰＩＲ）等の監視情報を通知する。帯域制御部２１は制御部２５から受信した該監視情報にしたがって、以降、対応する呼の監視を行う。
【００３７】
また、制御部２５は、回線交換網から受信した制御データをレイヤ２抽出/挿入部２２に送信する。レイヤ２抽出/挿入部２２は、制御部２５から受信した制御データをパケット終端処理部２０に転送し、パケット終端処理部２０によりパケット化して、生成した制御パケットをアクセスネットワーク装置に送信する。
【００３８】
アクセスネットワーク装置は、アクセスネットワーク装置から送信された制御パケットをパケット終端処理部１５で受信し、レイヤ２抽出/挿入部１４により該制御パケットのなかから制御データを抽出して制御部１７に通知する。
【００３９】
制御部１７は、帯域制御部１６に該呼の最低保証レート（ＣＩＲ）やピークレート（ＰＩＲ）等の監視情報を通知する。帯域制御部１６は制御部１７から受信した該監視情報にしたがって、以降、対応する呼の監視を行う。
【００４０】
なお、発生した呼の帯域予約が不可能な場合、加入者交換機は予約不可メッセージを含む制御パケットを回線交換網に返送する。この場合、回線交換網は、呼の発生元に対し、例えば「通話中」であることを示すビジートーン信号を返送する。
【００４１】
アクセスネットワーク装置と加入者交換機間のリンクが確立すると、回線交換網から送信されたユーザデータは、トランクインタフェース部２４でそれぞれ受信され、スイッチ部２３に転送される。スイッチ部２３は転送されたユーザデータをその送信先に応じて６４ｋｂｐｓ単位でスイッチングし、レイヤ２抽出/挿入部２２に送信する。レイヤ２抽出/挿入部２２は、ユーザデータをパケット終端処理部２０に転送し、送信先毎にパケット化してユーザパケットを生成し、生成したユーザパケットをアクセスネットワーク装置に送信する。このとき、各呼毎の帯域はそれぞれ帯域制御部２１で監視される。
【００４２】
アクセスネットワーク装置は、パケット終端処理部１５で加入者交換機から送信されたユーザパケットを受信し、デパケット化を行う。このとき、各呼毎の帯域はそれぞれ帯域制御部１６で監視される。
【００４３】
デパケット化されたユーザデータは、レイヤ２抽出/挿入部１４、スイッチ部１３、及び集線回路１２を経由して、対応する加入者回路から端末装置に送信される。
【００４４】
以上説明した、アクセスネットワーク装置と加入者交換機間でパケット化された制御データやユーザデータが転送される様子を示したのが図３である。
【００４５】
図３ではアクセスネットワーク装置（ＡＮ）と加入者交換機（ＬＥ）間において、任意のチャネルを用いてユーザデータ（図３ではユーザデータ１、２）が送受され、特定のチャネルを用いて制御データが送受される様子を示している。
【００４６】
なお、上記説明では、加入者交換機で予めパケットの転送に必要な帯域を予約しておく場合を例にして説明したが、帯域の予約はアクセスネットワーク装置で行ってもよい。
【００４７】
したがって、本発明のアクセスネットワークシステムでは、アクセスネットワーク装置及び加入者交換機間において、ＴＤＭデータをパケット化して帯域予約を行ってからデータ転送を行うため、ユーザデータや制御データの転送速度を６４ｋｂｐｓ単位だけでなく、柔軟に変更することができ、回線の帯域を有効に利用することができる。特に、制御データの帯域が一時的に必要となる場合には６４ｋｂｐｓ単位に増やす必要はなく、必要な帯域だけ増やせばよい。
【００４８】
また、パケットは送受信すべきデータが無いときには送受信されないため、帯域を無駄に使用してしまうことがない。
【００４９】
（第２の実施の形態）
次に本発明のアクセスネットワークシステムの第２の実施の形態について図面を用いて説明する。
【００５０】
図４は本発明のアクセスネットワーク装置の第２の実施の形態の構成を示すブロック図であり、図５は本発明の加入者交換機の第２の実施の形態の構成を示すブロック図である。
【００５１】
図４に示すように、本実施形態のアクセスネットワーク装置は、図１に示した第１の実施の形態のアクセスネットワーク装置に、端末装置からの音声を符号化し、加入者交換機からの符号化された音声データを復号する音声符号化処理部１８を追加した構成である。また、本実施形態の加入者交換機は、図２に示した第１の実施の形態の加入者交換機に、回線交換網からの音声を符号化し、アクセスネットワーク装置からの符号化された音声データを復号する音声符号化処理部２６を追加した構成である。その他の構成は第１の実施の形態と同様であるため、その説明は省略する。
【００５２】
本実施形態のように、アクセスネットワーク装置及び加入者交換機でそれぞれ音声符号化／復号化を行うことにより、符号化された音声データを圧縮することが可能になり、第１の実施の形態のアクセスネットワークシステムよりも帯域を節約できる。したがって、集線率を変えることなく接続可能な加入者数を増やすことができる。
【００５３】
【発明の効果】
本発明は以上説明したように構成されているので、以下に記載する効果を奏する。
【００５４】
アクセスネットワーク装置及び加入者交換機間において、パケット化されたデータを互いに送受することで、データの転送速度を６４ｋｂｐｓ単位だけでなく、柔軟に変更することができ、回線の帯域を有効に利用することができる。特に、制御データの帯域が一時的に必要となる場合には６４ｋｂｐｓ単位に増やす必要はなく、必要な帯域だけ増やせばよい。また、パケットは送受信すべきデータが無いときには送受信されないため、帯域を無駄に使用してしまうことがない。
【００５５】
さらに、アクセスネットワーク装置及び加入者交換機でそれぞれ音声データの符号化／復号化を行うことで、符号化された音声データを圧縮することが可能になり、帯域をより節約することが可能になる。よって、集線率を変えることなく接続可能な加入者数を増やすことができる。
【図面の簡単な説明】
【図１】本発明のアクセスネットワーク装置の第１の実施の形態の構成を示すブロック図である。
【図２】本発明の加入者交換機の第１の実施の形態の構成を示すブロック図である。
【図３】アクセスネットワーク装置と加入者交換機間でパケット化された制御データやユーザデータが転送される様子を示す模式図である。
【図４】本発明のアクセスネットワーク装置の第２の実施の形態の構成を示すブロック図である。
【図５】本発明の加入者交換機の第２の実施の形態の構成を示すブロック図である。
【図６】アクセスネットワークシステムの一構成例を示すブロック図である。
【符号の説明】
１1〜１n    端末装置
４    アクセスネットワーク装置
５    加入者交換機
６    回線交換網
１０1〜１０n    加入者回路
１２    集線回路
１３、２３    スイッチ部
１４、２２    レイヤ２抽出／挿入部
１５、２０    パケット終端処理部
１６、２１    帯域制御部
１７、２５    制御部
１８、２６    音声符号化処理部
２４    トランクインタフェース部
【図１】
0004167414.tif 000002
【図２】
0004167414.tif 000003
【図３】
0004167414.tif 000004
【図４】
0004167414.tif 000005
【図５】
0004167414.tif 000006
【図６】
0004167414.tif 000007